(57)【要約】【課題】  容器体内へ無底の中枠を、該中枠を介して容器体内へ化粧品皿を、それぞれ嵌合させたコンパクト容器体において、上記化粧品皿の交換が容易とした。【解決手段】  上記中枠21内面と化粧品皿周壁34外面との各一部に凹凸の第１、第２係合条27、33を付設して嵌合させ、第１、第２係合条下方の容器体底壁部分に透孔６を穿設すると共に該透孔内方の底壁部分を第１板バネ７とし、かつ第１係合条27を有する中枠部分を第２板バネ28としてその下端を透孔６内へ垂下させ、該第２板バネ28下端を外方へ押して上記第１、第２係合条27、33の嵌合を外したとき、第１板バネ７を押上げすることで、底板32を介して化粧品皿31を押上げ可能とした。【選択図】  図４
2005131259.tif 000002
【特許請求の範囲】
【請求項１】
容器体周壁３内へ無底の中枠21を、かつ該中枠を介して容器体内へ化粧品皿31を、それぞれ嵌合させて、中枠内面と化粧品皿周壁34外面との各一部へ付設した凹凸の第１、第２係合条27、33の嵌合で、化粧品皿31の上方抜出しを防止させた化粧用コンパクト容器において、
上記第１、第２係合条27、33下方の容器体底壁部分に透孔６を穿設すると共に、該透孔縁に接する底壁内方部分を透孔側が自由端の第１板バネ７とし、又第１係合条27を有する中枠部分を第２板バネ28に形成し、該第２板バネ下端を上記透孔６内へ垂下させて該下端の外方押出しで上記第１、第２係合条27、33の嵌合が外れ、該状態からの第１板バネ７の押上げで第２係合条33側の化粧品皿部分を押上げ可能に形成した
ことを特徴とする化粧用コンパクトの容器体。
【請求項２】
周壁３の少くとも一部上端から内向きフランジを介して内壁を垂下する容器体１内へ化粧品皿31を嵌合させて内壁の内面と化粧品皿周壁34の外面との各一部へ付設した凹凸の第１、第２係合条27、33の嵌合で、化粧品皿の上方抜出しを防止させた化粧用コンパクト容器において、
上記第１、第２係合条下方の容器体底壁部分に透孔６を穿設すると共に、該透孔内縁に接する底壁内方部分を透孔側が自由端をなす第１板バネ７となし、又第１係合条27を有する上記内壁部分を第２板バネ28に形成し、該第２板バネ下端を上記透孔６内へ垂下させて該下端の外方押出しで上記第１、第２係合条27、33の嵌合が外れ、該状態からの第１板バネ７押上げで透孔６上方の化粧品皿部分を押上げ可能に形成した
ことを特徴とする化粧用コンパクトの容器体。
【請求項３】
上記第１板バネ７自由端が、上内方へ傾斜突出する状態に容器体１を形成して、該容器体内へ嵌合された化粧品皿31の底板32で付勢に抗し押下げておき、上記第１、第２係合条27、33の嵌合が外れると第１板バネ７が化粧品皿31側部を押上げ可能に形成した
ことを特徴とする、請求項１又は２記載の化粧用コンパクトの容器体。
【発明の詳細な説明】
【技術分野】
【０００１】
本発明は化粧用コンパクトの容器体に関する。
【背景技術】
【０００２】
容器体内へ化粧品皿を嵌合させて、容器体周壁の内面と化粧品皿周壁外面とに設けた凹凸の係合条を嵌合させ、該嵌合により化粧品皿の上方抜出しを防止すると共に、容器本体底壁一部を開口して、該開口内へレバーを装着させ、該レバー操作で上記化粧品皿を容器体から外して化粧品皿の交換が出来るようにした化粧用コンパクトが知られている（特許文献１）。
【特許文献１】実開平６−７２５１１号公報
【発明の開示】
【発明が解決しようとする課題】
【０００３】
上記従来例のレバーは別部材で形成する構造が複雑化することとなる。
【０００４】
本発明はその構造を簡易化すると共に化粧品皿の取外しも容易とすることが可能に形成したものである。
【課題を解決するための手段】
【０００５】
第１の手段として、容器体周壁３内へ無底の中枠21を、かつ該中枠を介して容器体内へ化粧品皿31を、それぞれ嵌合させて、中枠内面と化粧品皿周壁34外面との各一部へ付設した凹凸の第１、第２係合条27、33の嵌合で、化粧品皿31の上方抜出しを防止させた化粧用コンパクト容器において、
上記第１、第２係合条27、33下方の容器体底壁部分に透孔６を穿設すると共に、該透孔縁に接する底壁内方部分を透孔側が自由端の第１板バネ７とし、又第１係合条27を有する中枠部分を第２板バネ28に形成し、該第２板バネ下端を上記透孔６内へ垂下させて該下端の外方押出しで上記第１、第２係合条27、33の嵌合が外れ、該状態からの第１板バネ７の押上げで第２係合条33側の化粧品皿部分を押上げ可能に形成した。
【０００６】
第２の手段として、周壁３の少くとも一部上端から内向きフランジを介して内壁を垂下する容器体１内へ化粧品皿31を嵌合させて内壁の内面と化粧品皿周壁34の外面との各一部へ付設した凹凸の第１、第２係合条27、33の嵌合で、化粧品皿の上方抜出しを防止させた化粧用コンパクト容器において、
上記第１、第２係合条下方の容器体底壁部分に透孔６を穿設すると共に、該透孔内縁に接する底壁内方部分を透孔側が自由端をなす第１板バネ７となし、又第１係合条27を有する上記内壁部分を第２板バネ28に形成し、該第２板バネ下端を上記透孔６内へ垂下させて該下端の外方押出しで上記第１、第２係合条27、33の嵌合が外れ、該状態からの第１板バネ７押上げで透孔６上方の化粧品皿部分を押上げ可能に形成した。
【０００７】
第３の手段として、上記第１又は第２の手段を有すると共に上記第１板バネ７自由端が、上内方へ傾斜突出する状態に容器体１を形成して、該容器体内へ嵌合された化粧品皿31の底板32で付勢に抗し押下げておき、上記第１、第２係合条27、33の嵌合が外れると第１板バネ７が化粧品皿31側部を押上げ可能に形成した。
【発明の効果】
【０００８】
請求項１および請求項２のようにすることで、第１、第２係合条27、33の取外しが容易であると共に第２係合条33を有する化粧品皿側部分の押上げが容易となり、又第１板バネ７は容器体底壁の一部で形成するから既述従来例の場合のように構造が複雑化することがない。
【０００９】
請求項３のようにすることで、第１板バネ７自由端部分の押上げが不要となり、第２板バネ28下端を外方押出しして第１、第２係合条27、33の嵌合を外すだけで、付勢に抗して押下げられていた第１板バネ７から弾性復元し、第２係合条33を有する化粧品皿側部を自動的に押上げるから、極めて便利である。
【発明を実施するための最良の形態】
【００１０】
以下図面について説明する。まず図１から図５が示す第１実施形態について説明すると、１は容器体で、底壁２外周から周壁３を起立する。図１が示すようにその周壁後壁部3aの左右方向中間部後面には蓋体11後部から垂下させた軸受け板12嵌合用の凹部４を穿設しており、又前壁部3bの左右方向中間前部には凹部を設けて該凹部内へ蓋体開蓋用押釦５を装着させている。尚13は鏡である。
【００１１】
21は容器体周壁３の内面へ嵌合させた無底の中枠で、該中枠上端に付設した外向きフランジ22を容器体周壁３の上面へ截置させている。該中枠の左右方向中間部には仕切り枠板23を設け、その左右側方の一方を化粧品皿収納室29に、他方をパフ等の化粧用具収納室25に、それぞれ形成している。
【００１２】
31は化粧品皿で、上記化粧品皿嵌合室内へ嵌合させている。
【００１３】
上記構成において、本発明にあっては、図４が示すように容器体底壁２の後部に透孔６を穿設し、該透孔前縁に接する底壁内方部分を、後端を自由端とし、左右両側に割溝を有する第１板バネ７に形成している。該第１板バネ７は図示のように下面を削除して肉薄に形成するとよい。
【００１４】
該第１板バネ７は、容器体成形時にその自由端が上内方へ傾斜突出する形状に形成しておき、図示のように化粧品皿31嵌合によって該化粧品皿底板32がその第１板バネを付勢に抗し押下げし、後述第１、第２係合条27、33の嵌合取外しにより第１板バネ７が弾性復元して化粧品皿後部を底板32を介して押上げするよう設けてもよい。
【００１５】
既述中枠21は、後枠部と容器体周壁後壁部3aとの間に間隙を設け、後枠部上端から突出して容器体周壁後部上面へ截置された外向きフランジ22部分下面から短板26を垂下し、該短板を上記周壁後壁部内面へ係合させて中枠21が容器体内で前後方向へ移動しないよう設けている。その後枠部左右方向中間部からは凸状の第１係合条27を前方突出し、該第１係合条と対向する化粧品皿周壁34後部外面へは第１係合条が嵌合する凹状の第２係合条33を穿設している。
【００１６】
又第１係合条27を有する後枠部はその上端に割り溝29を穿設してその下方後枠部分を、左右両端を固定端とする第２板バネ28に形成し、又該第２板バネ下端の全部又は一部を上記透孔６内へ垂下させて、該下端の後方押込みによって上記第１、第２係合条27、33の嵌合が外れるよう設けている。但しその第２板バネ28は、その左右両側に割り溝を穿設することで、上端が固定端で下端が自由端をなす縦板状第２板バネであってもよい。
【００１７】
上記構成において、図４が示す化粧品皿31嵌合状態から第２板バネ28下端を後方へ押圧すると、第１係合条27が後退して第２係合条33から外れ、よって該状態から図５のように第１板バネ７後部を押上げすることで化粧品皿31後部は上昇することとなり、取外しすることが出来る。
【００１８】
新たな、ないし別の化粧品皿31を嵌合させる場合は、該化粧品皿が有する第２係合条33を第１係合条27上方へ位置させて化粧品皿収納室内へ押下げすればよく該嵌合時、第２板バネ28は第１係合条27が、第２係合条33下方の化粧品皿後壁に接することで弾性に抗して後方へ押込みされた後、第１係合条が第２係合条の位置へ達したとき第２板バネ28の弾性復元で嵌合する。
【００１９】
尚既述のように第１板バネ７が化粧品皿底板32を上方へ付勢するよう設けた場合は、第２板バネ28下端を後方押込みして第２係合条33から第１係合条27を外しただけで、自動的に化粧品皿31後部は底板を介して押上げされることとなる。
【００２０】
図６と図７とは第２実施形態を示す。該実施形態は、既述仕切り枠板23を逆Ｕ字形状の二重壁とし、その化粧品収納室24側の側壁に既述第２板バネ28を設け、又その下方の化粧品収納室側の容器体底壁部分に透孔６を、その内方底壁部分に第１板バネ７を形成したものである。
その他構造は第１実施形態の場合と同じでよく、同一符号を付することで説明を省略する。
【００２１】
図８は第３実施形態を示す。
該実施形態は既述中枠を有しない。従って容器体内は底壁２から起立させた仕切り壁で該容器体内を化粧品皿収納室と化粧用具収納室とに区分することとなる。
【００２２】
該実施形態の場合は、化粧品皿収納室後方の後壁部3aを内外二重壁とし、その外壁上端から内向きフランジを介して内壁を、それ等両壁間に間隙をおいて垂下させ、その内壁の一部を既述の第２板バネ28に形成した。
その他の構造は第１実施形態の場合と同じであり、よって同一符号を付することで説明を省略する。
【００２３】
尚既述第１、第２板バネ等からなる化粧品皿側部押上げ機構は化粧品皿収納室24のどの部分に設けてもよいことは云うまでもない。
【図面の簡単な説明】
【００２４】
【図１】本発明容器体の平面図である。
【図２】図１容器体の前後方向断面図である。
【図３】図１容器体の左右方向断面図である。
【図４】図２要部の拡大断面図である。
【図５】図５は、化粧皿後部を押上げた状態を示す断面図である。
【図６】第２実施形態で示す容器体の平面図である。
【図７】図６容器体の左右方向断面図である。
【図８】図４と同一部分を第３実施形態で示す断面図である。
【符号の説明】
【００２５】
１  容器体                          ２  底壁
６  透孔                            ７  第１板バネ
21  中枠                            23  仕切り中枠
24  化粧品収納室                    27  第１係合条
28  第２板バネ                      29  割り溝
31  化粧品皿                        32  底板
33  第２係合条                      34  周壁
【図１】
2005131259.tif 000003
【図２】
2005131259.tif 000004
【図３】
2005131259.tif 000005
【図４】
2005131259.tif 000006
【図５】
2005131259.tif 000007
【図６】
2005131259.tif 000008
【図７】
2005131259.tif 000009
【図８】
2005131259.tif 000010